(57)【特許請求の範囲】
【請求項１】
施工面に固定される器体を有し少なくとも情報用の接続口を備えるとともに電源回路を内蔵した本体モジュールと、前記本体モジュールから電力が供給されるとともに前記本体モジュールを通して情報を授受する機能部を有し前記機能部に情報を入力する情報入力手段と前記機能部からの情報を出力する情報出力手段との少なくとも一方を有する機能パネルと、前記器体に結合されるとともに前記機能パネルを着脱可能に結合する補助金具とを備え、前記補助金具の縁周部の全部または一部が、前記補助金具の前記本体モジュールに取り付けられる面を基準として前記本体モジュール側に湾曲または傾斜した湾曲面または傾斜面を有し、前記補助金具と前記施工面との結合後前記湾曲面または傾斜面の縁周部が前記施工面と密着することを特徴とする情報装置。
【請求項２】
前記本体モジュールは固着具が挿通される固定用孔を前記器体に備え、前記補助金具は前記補助金具の一部が前記器体の一部に重複して配置されるとともに前記器体の一部と重複する部位に前記固着具が挿通される結合用孔を備え、前記本体モジュールと前記補助金具とは前記固着具を用いて施工面に併せて固定されることを特徴とする請求項１記載の情報装置。
【請求項３】
前記本体モジュールと前記補助金具との結合面の一方に嵌合凸部を有し、他方の結合面に前記嵌合凸部と嵌合する嵌合部を有し、前記嵌合凸部と前記嵌合部とが嵌合することにより前記本体モジュールと前記補助金具とが仮結合することを特徴とする請求項１または２記載の情報装置。
【請求項４】
前記補助金具が、前記補助金具と前記本体モジュールとの結合部位以外の部位の外周部の全部または一部に、外周端面が前記機能パネルとの結合面側を指向した曲折片を有することを特徴とする請求項１乃至３の何れか１項記載の情報装置。
【請求項５】
前記補助金具下部に前記補助金具と機能パネルとの結合面側に突出し先端が上方を指向する鉤片を有し、前記機能パネルの前記補助金具との結合面に前記鉤片が挿通する引掛孔を有することを特徴とする請求項１乃至４の何れか１項記載の情報装置。
【請求項６】
前記補助金具の上部に先端が前記補助金具と前記機能パネルとの結合面側を指向する係止突起を有し、前記機能パネルの前記補助金具との結合面に前記係止突起が挿通される係止孔を有し、前記係止孔内に前記係止突起の係止及び係止の解除を行う係止突起係止手段を有することを特徴とする請求項１乃至５の何れか１項記載の情報装置。
【請求項７】
前記係止突起係止手段が前記係止孔内に設置され一端が前記係止孔内の垂直壁面と弾性体を介して接続され一端に前記係止突起と嵌合する先端突起を有する摺動部材であり、前記摺動部材の一部が機能パネルの端面に設けた開口より外部に露出し、前記動部材が前記係止孔内を摺動し、前記弾性体により前記摺動部材は係止孔に挿通された係止突起方向に付勢され、前記先端突起が前記係止突起と嵌合することにより前記係止突起を係止し嵌合を解除することにより前記係止突起の係止を解除することを特徴とする請求項６記載の情報装置。
【請求項８】
前記機能パネルの補助金具との結合面と下面とが交差する角に、面取りを施したことを特徴とする請求項１乃至７の何れか１項記載の情報装置。
【請求項９】
前記機能パネルが、前記補助金具との結合面側の裏面筐体と外部に露出する側の表面筐体とにより構成され、前記裏面筐体と前記表面筐体との間に少なくとも前記情報入力手段または前記情報出力手段を収納することを特徴とする請求項１乃至８の何れか１項記載の情報装置。
【請求項１０】
前記裏面筐体の下端に前記鉤片と係合する係止壁面を設け、前記係止壁面と前記表面筐体との間に前記鉤片の厚みと同一の幅の間隙を形成し、前記係止壁面の先端を先端に行くに従い端面の面積が小となる形状とし、前記間隙に前記鉤片先端が挿入し、前記係止壁面先端が前記鉤片により形成された鉤片凹部に挿入することにより前記機能パネル下部と前記補助金具下部とが係合することを特徴とする請求項９記載の情報装置。
【発明の詳細な説明】
【技術分野】
【０００１】
本発明は、壁などの施工面に取り付けられ、種々の情報の提示、指示を行う情報装置に関するものである。
【背景技術】
【０００２】
従来より、壁などの施工面に設置される施工面設置型の情報装置は、施工面上に取り付ける構成のものと、施工面に形成した貫通孔に情報機器の一部を埋め込んで取り付ける構成のものとが知られている（例えば、特許文献１参照）。
【０００３】
一方、情報装置の部品構成としては、機能を異とする種々の情報装置間における部品の共通化を図るため、種々の情報装置間に共通する部品例えば外部電源から電力の供給を受ける電源回路部、他機器と情報の送受信を行う通信部などを集約した本体モジュールと、機能により部品の形状などが異なる部品例えば表示部や入力スイッチなどを集約した機能パネルとで構成されるものが考案されている。
【特許文献１】特開平６−２９１８１８
【発明の開示】
【発明が解決しようとする課題】
【０００４】
ところで、上述したように、本体モジュールと機能パネルの部品とに分割される構成の情報装置においては、本体モジュールに直接機能パネルが本体モジュールの露出面を覆う構成で機能パネルと本体モジュールとが結合されるため、本体モジュールと機能パネルとを結合する部位が機能パネルの裏面に位置する構成となっている。
【０００５】
近年、情報装置は多機能化し、また、表示画面の大型化により、機能パネルが大型化する傾向にある。従来の小型の機能パネルにおいては、本体モジュールと機能パネルとの結合方法は、直接機能パネルを本体モジュールに取り付ける方法で支障は生じないが、機能パネルが大型化した場合機能パネルの重量が増大し、直接機能パネルを本体モジュールに取り付ける方法では、この増大した重量の機能パネルを保持することが困難となり、また、機能パネルの面積が本体モジュールとの結合部位の面積よりも相対的に大きくなるため、機能パネルがぐらつくおそれがある。
【０００６】
本発明は上記事由に鑑みて為されたものであり、その目的は、機能パネルが大型化した場合においても、機能パネルがぐらつくことなく本体モジュールに取り付けることができ、また、その取付作業を容易に行うことができる情報装置を提供することにある。
【課題を解決するための手段】
【０００７】
請求項１の発明は、施工面に固定される器体を有し少なくとも情報用の接続口を備えるとともに電源回路を内蔵した本体モジュールと、前記本体モジュールから電力が供給されるとともに本体モジュールを通して情報を授受する機能部を有し前期機能部に情報を入力する情報入力手段と前記機能部からの情報を出力する情報出力手段との少なくとも一方を有する機能パネルと、前記器体に結合されるとともに前記機能パネルを着脱可能に結合する補助金具とを備え、前記補助金具の縁周部の全部または一部が、前記補助金具の前記本体モジュールに取り付けられる面を基準として前記本体モジュール側に湾曲または傾斜した湾曲部または傾斜面を有し、前記補助金具と前記施工面との結合後前記湾曲面または傾斜面の縁周部が前記施工面と密着することを特徴とする。
【０００８】
この構成によれば、機能パネルは本体モジュールに固定される補助金具と結合するので、大型の機能パネルにおいても機能パネルがぐらつくことのない情報装置を提供することができる。また、この構成によれば、補助金具を本体モジュールに固定する場合、補助金具の湾曲部または傾斜面が施工面に押し付けられることにより、湾曲部または傾斜面が平面となり、それにより発生した内部応力により補助金具の湾曲部または傾斜面は、補助金具の取付作業後も施工面に押し付けられ続けることとなる。従って、補助金具に取り付けられる機能パネルと施工面との密着性が向上する。従って、大型の機能パネルにおいても、機能パネルがぐらつくことのない情報装置を提供することが可能となる。
【０００９】
請求項２の発明は、前記本体モジュールは固着具が挿通される固定用孔を前記器体に備え、前記補助金具は前記補助金具の一部が前記器体の一部に重複して配置されるとともに前記器体の一部と重複する部位に前記固着具が挿通される結合用孔を備え、前記本体モジュールと前記補助金具とは前記固着具を用いて施工面に併せて固定されることを特徴とする。
【００１０】
この構成によれば、施工面に本体モジュールを固定するための本体モジュールに設けられた固定用孔の位置と補助金具を施工面に固定するための補助金具に設けられた結合用孔の位置とが、本体モジュールと補助金具とを施工面に取り付ける位置に配置したときに一致しているので、本体モジュールを施工面に取り付ける固着具を用いて更に補助金具を施工面に取り付けることが可能となり、取付作業が容易な情報装置を提供することが可能となる。
【００１１】
請求項３の発明は、請求項１または２の発明において、前記本体モジュールと前記補助金具との結合面の一方に嵌合凸部を有し、他の一方の結合面に前記嵌合凸部と嵌合する嵌合部を有し、前記嵌合凸部と前記嵌合部とが嵌合することにより前記本体モジュールと前記補助金具とが仮結合することを特徴とする。
【００１２】
この構成によれば、本体モジュールと補助金具との結合面に設けた嵌合凸部と嵌合部とを係合させることにより、本体モジュールと補助金具とを仮係止させて一体とし、補助金具及び本体モジュールを同時に壁に固定する際の作業者の保持すべき部材数を補助金具及び本体モジュールの２部材から両者を仮結合させた１部材に減少させることが可能となる。従って、取付作業が容易な情報装置を提供することが可能となる。
【００１５】
請求項４の発明は、前記補助金具が、前記補助金具と前記本体モジュールとの結合部位以外の部位の外周部の全部または一部に、外周端面が前記機能パネルとの結合面側を指向した曲折片を有することを特徴とする。
【００１６】
この構成によれば、補助金具の本体モジュールに固定されていない部位の縁周部の一部または全部に曲折片を有することにより、補助金具の本体モジュールに固定されていない部位の強度が増すこととなる。従って、大型の機能パネルにおいても、機能パネルがぐらつくことのない情報装置を提供することが可能となる。
【００１７】
また、機能パネルに曲折片と嵌合する凹部を設ければ、補助金具に機能パネルを取り付ける際の両者の位置合わせのガイド及び係止に曲折片を使用することができ、大型の機能パネルにおいても、機能パネルがぐらつくことのない情報装置を提供することが可能となる。
【００１８】
請求項５の発明は、請求項１乃至４の何れか１項記載の発明において、前記補助金具下部に前記補助金具と機能パネルとの結合面側に突出し先端が上方を指向する鉤片を有し、前記機能パネルの前記補助金具との結合面に前記鉤片が挿通する引掛孔を有することを特徴とする。
【００１９】
この構成によれば、機能パネルを補助金具に取り付ける作業において、機能パネルの引掛孔に機能パネルの鉤片を挿通することにより機能パネルと補助金具との下部の係合を行うが、機能パネルの鉤片が機能パネル側に突出し、また、鉤片の先端が上方を指向していることにより、機能パネルの引掛孔に補助金具の鉤片を挿入する作業は機能パネルを上方より下方に下降させながら行うこととなるので、取付作業が容易となる。また、機能パネルの引掛孔に補助金具の鉤片を挿入して機能パネルを補助金具で保持した後は、作業者は機能パネルの自重の全部を保持する必要がなくなるため、機能パネルと補助金具との係止作業を容易に行うことが可能となる。一方、機能パネルと補助金具との係合は機能パネルの重量により維持されることとなるので、大型の機能パネルにおいても、機能パネルと補助金具との結合を確実に行うことができる。従って、大型の機能パネルにおいても、機能パネルがぐらつくことのない情報装置を提供することが可能となる。
【００２０】
請求項６の発明は、請求項１乃至５の何れか１項記載の発明において、前記補助金具の上部に先端が前記補助金具と前記機能パネルとの結合面側を指向する係止突起を有し、前記機能パネルの前記補助金具との結合面に前記係止突起が挿通される係止孔を有し、前記係止孔内に前記係止突起の係止及び係止の解除を行う係止突起係止手段を有することを特徴とする。
【００２１】
この構成によれば、係止孔内で係止突起は係止突起係止手段により係止されるので、機能パネル上部は補助金具上部に確実に固定することが可能となる。また、係止突起固定手段は、係止突起の係止及び係止の解除を行うので、機能パネルの補助金具への着脱作業が容易となる。従って、大型の機能パネルにおいても、機能パネルがぐらつくことのなく、また、取付作業が容易な情報装置を提供することが可能となる。
【００２２】
請求項７の発明は、前記係止突起係止手段が前記係止孔内に設置され一端が前記係止孔内の垂直壁面と弾性体を介して接続され一端に前記係止突起と嵌合する先端突起を有する摺動部材であり、前記摺動部材の一部が機能パネルの端面に設けた開口より外部に露出し、前記動部材が前記係止孔内を摺動し、前記弾性体により前記摺動部材は係止孔に挿通された係止突起方向に付勢され、前記先端突起が前記係止突起と嵌合することにより前記係止突起を係止し嵌合を解除することにより前記係止突起の係止を解除することを特徴とする。
【００２３】
この構成によれば、摺動部材はその一部が外部に露出しているので、外部より摺動部材の摺動が可能である。従って、機能パネルの補助金具への着脱作業が容易となる。また、摺動部材は弾性体により係止孔内に挿通された係止突起方向に付勢されているので、係止突起の係止はより強固となる。従って、機能パネルと補助金具の上部の係止が強固となり、大型の機能パネルにおいても、機能パネルがぐらつくことのない情報装置を提供することが可能となる。
【００２４】
請求項８の発明は、前記機能パネルの補助金具との結合面と下面とが交差する角に、面取りを施したことを特徴とする。
【００２５】
この構成によれば、機能パネルを補助金具に取り付ける作業において機能パネル下部が施工面に接触すること及び接触した場合の施工面の損傷を防ぐことが可能となる。従って、大型の機能パネルにおいても取付作業が容易な情報装置を提供することが可能となる。
【００２６】
請求項９の発明は、請求項１乃至８の発明において、前記機能パネルが、前記補助金具を取り付ける側の裏面筐体と外部に露出する側の表面筐体とより構成され、前記裏面筐体と前記表面筐体との間に少なくとも前記表示手段及び前記入力手段を収納することを特徴とする。
【００２７】
この構成によれば、機能パネルが表面筐体と裏面筐体の２つの筐体で構成されているため、機能パネルに設ける引掛孔、係止孔、係止突起固定手段の加工が容易となる。また、入力手段、出力手段が大型化した場合においても、２つの筐体で情報入力手段、情報出力手段を保持するので、大型の機能パネルにおいても、機能パネルがぐらつくことのない情報装置を提供することが可能となる。
【００２８】
請求項１０の発明は、請求項９の発明において、前記裏面筐体の下端に前記鉤片に対向する位置に係止壁面を設け、前記係止壁面と前記表面筐体との間に前記鉤片の厚みと同一の幅の間隙を形成し、前記係止壁面の先端を先端に行くに従い端面の面積が小となる形状とし、前記間隙に前記鉤片先端が挿入し前記係止壁面先端が前記鉤片により形成された鉤片凹部に挿入することにより前記機能パネル下部と前記補助金具下部とが係合することを特徴とする。
【００２９】
この構成によれば、補助金具の鉤片の厚みと裏面筐体の係止壁面と表面筐体とで形成された間隙の幅が同一であるので、係止壁面と表面筐体が鉤片を挟み込み、鉤片の係止を強固なものとすることが可能となる。また、係止壁面の先端が先端に行くに従い端面の面積が小さくなる形状であるので、係止壁面の先端が鉤片により形成された鉤片凹部に挿入される場合の接触摩擦力が低減さる。従って、大型の機能パネルにおいても、機能パネルがぐらつくことのない、また取付作業が容易な情報装置を提供することが可能となる。
【発明の効果】
【００３０】
本発明は、機能パネルを本体モジュールに固定された補助金具に装着することにより、大型で重量の大きい機能パネルにおいても、機能パネルをぐらつかないように固定できるという利点がある。
【発明を実施するための最良の形態】
【００３１】
以下の各実施形態では、情報装置として室内の壁に取り付けられたインターホン親機を例示する。
【００３２】
このインターホン親機は、本体モジュール、補助金具、機能パネルより構成されており、本体モジュールは外部から電力の供給を受ける電源回路部と、ドアホン子機と通信を行う通信部を備え、機能パネルは情報入力手段であるスイッチ及びマイクロホンと、情報出力手段である表示部及びスピーカーと、本体モジュールと通信を行う機能部とを備えている。
【００３３】
インターホン親機とドアホン子機は通信部で通信を行い、表示部はドアホン子機で撮像された映像を表示し、スピーカーはドアホン子機に入力された音声を出力し、マイクロホンはインターホン親機で音声を入力する。
【００３４】
以下の説明においては、壁面に平行かつ水平な方向を左右方向とし、床垂直な方向を上下方向とし、壁面に平行でかつ壁面の手前側を前面、奥側を後面として構成を説明する。
（実施形態１）
本実施形態のインターホン親機Ａは、図１に示すように、壁Ｗ内にその一部を収納して壁Ｗに固定される本体モジュールＢと、本体モジュールＢの前面側に取り付けられる補助金具Ｃと、補助金具Ｃの前面側に着脱可能に装着される機能パネルＤとにより構成されている。本体モジュールＢは、壁Ｗ内に設置された埋込型の配線器具用スイッチボックスＳＢを用いて壁Ｗに固定される。
【００３５】
スイッチボックスＳＢは、図１に示すように、前面が開口した箱状に形成されており、開口部の内側の上面及び下面には対向する各一対の器具固定用突起１が突設されている。器具固定用突起１にはその前端面にねじ孔２が開口する。ねじ孔２は本体モジュールＢをスイッチボックスＳＢに固定する固着具としてのボックスねじ（図示せず）用の孔である。
【００３６】
本体モジュールＢは、器体３により構成され、器体３は、外部電源から電力の供給を受ける電源回路部（図示せず）及びドアホン子機（図示せず）との通信を行う通信部（図示せず）を有する第一回路部（図示せず）を内部に有し、前面側における上下方向の各端縁のそれぞれから互いに離れる向きに延設され、器体３の前面より前方に突出し、かつ器体３の左右方向の略全長に渡って形成された上下一対の取付板４を有する。
【００３７】
上下２つの取付板４には、器体３をスイッチボックスＳＢに固定するためのボックスねじ（図示せず）を挿通する固定用孔５が各２個形成され、更に下方の取付板４には本体モジュールＢと補助金具Ｃとの結合の際に、両者の結合位置を決定し、かつ本体モジュールＢと補助金具Ｃとを結合するための嵌合凸部６が形成されている。
【００３８】
器体３には後面の２箇所に端子窓（図示せず）が貫設されており、一方の端子窓（図示せず）は商用電源供給用の電源線（図示せず）が接続される電源端子部（図示せず）を器体３の外部に露出させ、他方の端子窓は信号線（図示せず）が接続される信号端子部（図示せず）を器体３の外部に露出させる。器体３の前面側には、機能パネルＤに電力を供給し、機能パネルＤと本体モジュールＢ間の信号の授受を行うための本体モジュール側接触端子７を前面側に露出するための本体モジュール側接触端子孔８が設けられている。
【００３９】
また、本実施形態では、器体３は１連用の取付枠（図示せず）を２個まで取り付け可能なスイッチボックスＳＢに対応する大きさに形成されている。１連用の取付枠（図示せず）とは「ＪＩＳ  Ｃ８３７５」で規格化されている３個用の取付枠（図示せず）を意味しており、以下では、１連用の取付枠（図示せず）が左右方向に２個連接された寸法を「２連用」、３個連接された寸法を「３連用」と呼ぶ。即ち、本実施形態の本体モジュールＢは、上下方向に対向する一対の内側面にそれぞれ器具固定用突起１が各２個設けられた２連用のスイッチボックスＳＢに取り付け可能な寸法に設定されている。
【００４０】
補助金具Ｃは金属板により形成され、図１で示すように、外周部分の外周フレーム９、外周フレーム９の左右両側の各々の中間部を結ぶ中央水平部分の中央水平フレーム１０及び中央水平フレーム１０の中央部分と外周フレーム９の上側部分の中央部分とを結ぶ中央垂直部分の中央垂直フレーム１１よりなる。外周フレーム９と中央水平フレーム１０に囲まれた部位には略矩形の大開口１２が形成され、外周フレーム９及び中央水平フレーム１０と中央垂直フレーム１１とで囲まれた部位には左右２個の略矩形の小開口１３が形成されている。外周フレーム９の上下両端間の幅は、機能パネルＤの上下両端間の幅と略同一に形成され、左右両端間の幅は機能パネルＤの左右両端間の幅よりも短く形成されている。外周フレーム９の下側部分と外周フレーム９の左右部分との接続部分、外周フレーム９と中央水平フレーム１０との接続部分及び中央垂直フレーム１１と中央水平フレーム１０との接続部分には段差１４が設けられていて、外周フレーム９の下側部分及び水平中央フレーム１０は、外周フレーム９の左右両側部分及び中央垂直フレーム１１よりも前面側に突出している。この段差１４により補助金具Ｃと施工面との距離を調整している。
【００４１】
外周フレーム９の下端部分には、本体モジュールＢの嵌合凸部６と嵌合する嵌合部である矩形状の切欠１５が２個設けられ、中央水平フレーム１０及び外周フレーム９の下側部分には、結合用孔１６が複数設けられている。結合用孔１６は、図２に示すように、器体３の取付板４に設けられた嵌合凸部６と外周フレーム９の下端部分に設けられた切欠１５とを係合させたときに、取付板４に設けられた固定用孔５と前後方向に対して重なる即ち前方より見て結合用孔１６と固定用孔５との中心が略一致するように形成されている。
【００４２】
補助金具Ｃには、図３に示すように、段差１４の内最上部の段差１４と外周フレーム９及び中央垂直フレーム１１との交線を稜線として、稜線より上部の外周フレーム９及び中央垂直フレーム１１が本体モジュールＢと補助金具Ｃとの結合面を基準として後方となるように、傾斜面１７が形成されている。
【００４３】
図４に示すように、補助金具Ｃを本体モジュールＢに取り付けた場合、補助金具Ｃに形成された傾斜面１７は取り付けに従って壁Ｗに押圧され、補助金具Ｃが本体モジュールＢに完全に取り付けられた時点で補助金具Ｃに形成された傾斜面１７は、補助金具Ｃと本体モジュールＢとの結合面と略同一面となる。このとき補助金具Ｃに形成された傾斜面１７は、生じた内部応力により継続的に壁Ｗを押圧するので、補助金具Ｃと壁Ｗとの間、即ち補助金具Ｃ前面に装着された機能パネルＤと壁Ｗとの間に間隙が生じることが防止される。
【００４４】
図５に示すように、補助金具Ｃの外周フレーム９の左右両端の本体モジュールＢに固定されていない部分、即ち中央水平フレーム１０と外周フレーム９の左右両側部分との接続部分より上の部分には、端面が前方を指向して曲折された曲折片１８が形成されている。この曲折片１８により、外周フレーム９の両端部分の本体モジュールＢに固定されていない部分の強度が増し、また、この曲折片１８を前面側に設けることにより曲折片１８と壁Ｗとの干渉を回避している。更に、後述するように、曲折片１８は機能パネルＤと補助金具Ｃの上方の係止を行う際の機能パネルＤと補助金具Ｃとの左右の位置合わせ及び係止も行っている。
【００４５】
補助金具Ｃの外周フレーム９の下部には、図７に示すように、外周フレーム９の下線から延設され、端面が上方を指向し、上方が開放され断面Ｌ字状に形成され、前面側に突出する鉤片１９が複数設けられている。また、外周フレーム９の上端線の左右両端には、係止突起２０が設けられている。各係止突起２０は、外周フレーム９を構成する面と略垂直をなす面で構成され、更に、各係止突起２０の先端には、互いの係止突起が向かい合う側とは反対側を指向する係止突起先端部２１が設けられている。
【００４６】
機能パネルＤは、図８に示すように、後面側の筐体をなすパネルベース２２と前面側の筐体をなすパネルカバー２３で構成される。機能パネルＤは、縁の全周に渡って弾性体（図示せず）で覆われ、弾性体（図示せず）は機能パネルＤの取付時に壁面に密着する。パネルベース２２は、前面が矩形、薄箱状に形成され、下部中央には本体モジュールＢから電力の供給を受け本体モジュールＢとの情報の送受信を行うための機能パネル側接触端子２４を後面側に露出させる機能パネル側接触端子孔２５が設けられ、また、後面は、左右両端部が中央部より突出するように形成され、更に、図６に示すように、後面の左右両側には、上下方向に長凹部２６が設けられている。パネルカバー２３は、前面中央に開口２７が設けられ、前面下部左側には多数の小孔２８が設けられている。パネルベース２２とパネルカバー２３は、パネルベース２２周縁に設けられた多数の係止凹片（図示せず）とパネルカバー２３の周縁に設けられた複数の係止凸片（図示せず）とを係合させることにより係止される。
【００４７】
パネルベース２２とパネルカバー２３で構成される内部空間には、外部からの情報を入力する情報入力手段（図示せず）であるスイッチ（図示せず）及びマイクロホン（図示せず）と、外部に情報を出力する情報出力手段（図示せず）であるスピーカー（図示せず）及び表示部２９とが収納され、また、本体モジュールＢと情報の授受を行い、スイッチ（図示せず）及びマイクロホン（図示せず）より入力された情報を受信し、本体モジュールＢより受けた情報をスピーカー（図示せず）及び表示部２９に送信する機能部（図示せず）と本体モジュールＢからの電力の供給をうける機能パネル側電源部（図示せず）を有する第２回路部（図示せず）が収納されている。表示部２９はパネルカバー２３に設けられた開口２７により前面側が露出し、スピーカー（図示せず）の前面側と小孔２８とは対向している。また、パネルベース２２後面の左右両側は、露出パネルＣと結合する中央部よりも突出している。これにより左右方向からの補助金具Ｃの視認を困難とし、インターホン親機Ａの外観性を向上させている。
【００４８】
機能パネルＤは、図８に示すように、機能パネルＤの後面と下面とが交差する角に面取部３３が形成され、図９に示すように、機能パネルＤを補助金具Ｃに装着する際の機能パネルＤの下端と壁Ｗとの干渉を防いでいる。また、下端部に鉤片１９が挿入される引掛孔３４が設けられ、更に、図６に示すように、機能パネルＤの後面側上部には補助金具Ｃの各係止突起２０が挿入される左右一対の係止孔３５が設けられている。各係止孔３５内には、図１３に示すように、ガイド溝３６が形成されている。ガイド溝３６は、パネルベース２２後面側の壁で形成されるパネルベース側垂直壁面３７と、パネルカバー２３前面側の壁で形成されるパネルカバー側垂直壁面３８と、パネルベース２２及びパネルカバー２３とで形成されパネルベース側垂直壁面３７とパネルカバー側垂直壁面３８とに交差するガイド溝奥垂直壁面３９と、パネルベース側垂直壁面３７とパネルカバー側垂直壁面３８とガイド溝奥垂直壁面３９とに交差するガイド溝下面４０とにより構成されている。また、各ガイド溝３６内には摺動部材として摺動レバー４１が配置されている。摺動レバー４１は、前後方向に比して左右方向に長く、上下方向の厚みが左右方向及び前後方向に比して薄い直方体で形成され、前面側の一部にはスプリング受け用凸部４２を有し、係止孔３５と対向する面には摺動レバー先端突起４３を有する。摺動レバー４１の下面、後面及びスプリング受け用凸部４２の前面は、それぞれガイド溝下面４０、パネルベース側垂直壁面３７及びパネルカバー側垂直壁面３８と対向し、摺動レバー４１はこれらの面を摺動面として左右方向に摺動する。摺動レバー４１とスプリング受け用凸部４２とパネルカバー側垂直壁面３８とガイド溝奥垂直壁面３９とガイド溝下面４０とで構成される空間には、弾性体としてスプリング４４が、一端をスプリング受け凸部４０に一端をガイド溝奥垂直壁面３７に接して設置され、摺動レバー４１はスプリング４４によりガイド溝奥垂直壁面４０から係止孔３５へ向かう方向に付勢される。また、機能パネルＤの上端面の左右両側部には、各摺動レバー４１の上部の一部を外部に露出する摺動レバー用開口４５が設けられていて、各摺動レバー４１は、外部よりその摺動を行い得る。
【００４９】
次に、上述したインターホン親機Ａを壁Ｗに取り付ける手順について説明する。まず、本体モジュールＢの電源端子部（図示せず）に商業用電源と接続された電源線（図示せず）を、信号端子部（図示せず）にドアホン子機（図示せず）と接続された信号線（図示せず）を挿入接続し、次に、図２に示すように、本体モジュールＢの器体３の取付板４に設けられた嵌合凸部６と補助金具Ｃの下端に設けられた切欠１５とを仮結合させることにより補助金具Ｃと本体モジュールＢとを仮結合させる。補助金具Ｃと本体モジュールＢとが仮結合することにより、前述のように本体モジュールＢの取付板４に設けられた固定用孔５と補助金具Ｃに設けられた結合用孔１６とが前後方向に対して重なる。この重なった固定用孔５と結合用孔１６に固着具であるボックスねじ（図示せず）を前方より挿通し、スイッチボックスＳＢの器具固定用突起１前端面に設けられたねじ孔２に挿通して補助金具Ｃと本体モジュールＢとをスイッチボックスＳＢに固定する。これで、本体モジュールＢ及び補助金具Ｃの壁Ｗへの取り付けが完了する。次に、機能パネルＤを補助金具Ｃに装着する工程について説明する。まず、図９に示すように、露出パネルＣを上部が前面側に倒れた状態、即ち露出パネルＣを前面側に傾斜させた状態で、補助金具Ｃの外周フレーム９下部に設けられた各鉤片１９を露出パネルＤ下部に設けられた各引掛孔３４内に挿通させ、露出パネルＤ下部を本体モジュールＢの下部に係止する。露出パネルＤを傾斜させた状態で上述の作業を行うのは、露出パネルＣの後面となっている係止箇所の目視を容易にし、また、露出パネルＣ上部と壁Ｗとの接触を防止し、上述の係止作業を安全かつ容易に行うためである。機能パネルＤと補助金具Ｃとの下部の係合を行った後、引掛孔３４と鉤片１９の接続部分を支点として機能パネルＤを後方に回転させ、機能パネルＤを補助金具Ｃに密着させる。密着は、補助金具Ｃに左右両端に設けた先端が前面側を指向する各曲折片１８が機能パネルＤ後面に設けた各長凹部２６と嵌合させて、補助金具Ｃと機能パネルＤとの左右方向の位置を合わせて行う。
【００５０】
機能パネルＤを補助金具Ｃに密着させる際には、機能パネルＤ上端面左右両側の各摺動レバー用開口４５より露出している各摺動レバー４１の上端部を、各摺動レバー４１が互いに接近する方向に摺動させた後保持し、補助金具Ｃ上端線の左右両端に設けられた各係止突起２０を機能パネルＤ後面側左右上端部に設けられた各係止孔３５に挿入する。各係止突起２０を各係止孔３５に挿入した後、保持していた各摺動レバー４１の保持を解除し、補助金具Ｃの各係止突起２０を係止する。この係止により機能パネルＤと補助金具Ｃとの上部の係止が完了する。
【００５１】
ここで、係止突起２０の係止について更に具体的に説明する。各摺動レバー４１を互いに接近する方向に摺動させると、摺動レバー４１の係止孔３５と対向する面に設けられた摺動レバー先端突起４１も、各摺動レバー４１が互いに接近する方向に移動する。その後各係止突起２０が各係止孔３５内に挿入されると、係止突起２０と摺動レバー先端突起４３とが対向することとなる。続いて各摺動レバー４１の保持を解除すると、各摺動レバー４１はスプリング４４から受ける力により互いに離れる方向に摺動し、摺動の結果、各係止突起２０の先端に設けられた係止突起先端部２１と各摺動レバー４１に設けられた摺動レバー先端突起４３とが嵌合し、各係止突起２０は各摺動レバー４１により係止されることとなる。
【００５２】
また、機能パネルＤと本体モジュールＢとの密着により機能パネルＤと本体モジュールＢとの電気的接続も行われるが、これについて説明する。本体モジュールＢの器体３の前面側には機能パネルＤとの電気的接続手段として本体モジュール側接触端子７が設けられ、機能パネルＤの後面側には同じく機能パネル側接触端子２４が設けられている。この本体モジュール側接触端子７と機能パネル側接触端子２４とは、上述のように機能パネルＤを補助金具Ｃに取り付ける作業において機能パネルＤを補助金具Ｃに密着させた場合、互いに付き合わされる位置に配置されていて、機能パネルＤを補助金具Ｃに密着させた場合に、本体モジュール側接触端子７と機能パネル側接触端子２４が接続し、機能パネルＤと本体モジュールＢとが電気的に接続することとなる。これで、インターホン親機Ａの壁Ｗへの取り付け作業が完了する。
【００５３】
ところで、本実施形態のインターホン親機Ａは、機能パネルＤが異なる複数種類の機能パネルＤの中から択一的に選択可能に構成されている。複数種類の機能パネルＤの例としては、例えば、上述した構成の機能パネルＤに対して、映像を録画・再生する機能を追加した機能パネルＤや、表示部２９を大きく或いは小さくした機能パネルＤがある。即ち、共通の本体モジュールＢに対して複数種類の機能パネルＤを択一的に選択できることにより、それぞれ機能の異なる複数種類のインターホン親機Ａを実現することができる。
（実施形態２）
本実施形態のインターホン親機Ａは、図１０に示すように、補助金具Ｃ下端に設けられた鉤片１９が挿入される機能パネルＤに設けられる係止構造が実施形態１と相違する。本実施形態においては、機能パネルＤを構成するパネルベース２２の複数の鉤片１９に各々対向する下端部分の係止壁面４７とパネルカバー２３との間に形成される凹状間隙４８に鉤片１９を挿入することにより補助金具Ｃが機能パネルＤを保持する構成となっている。凹状間隙４８の間隙は、補助金具Ｃの板厚と同一となるように形成されており、パネルカバー２３とパネルベース２２の係止壁面４７とが鉤片１９を挟み込んで固定し、補助金具Ｃと機能パネルＤとの係止を強固なものとしている。
【００５４】
凹状間隙４８を形成するパネルベース２２の係止壁面４７の下端は、先端に行くに従い端面の面積が小となる形状として断面略三角の形状となっており、図１１に示すように鉤片１９に係止壁面４７が挿入される際の摩擦力の低減が図られている。
【００５５】
更に、凹状間隙４８を形成するパネルカバー２３の補助金具Ｃ側の壁面と下面とで構成される角には、面取りとして小面取３０が形成されている。この小面取３０により、図１１に示すように鉤片１９を凹状間隙４８に挿入する際に鉤片１９の先端が凹状間隙４８を形成するパネルカバー２３の補助金具Ｃ側の壁Ｗと干渉することが防止され、作業性が向上する。
【００５６】
その他の構成及び機能は、実施形態１と同様である。
（実施形態３）
本実施形態のインターホン親機Ａは、本体モジュールＢと補助金具Ｃとを仮結合するための構造が実施形態１と相違する。実施形態１においては、本体モジュールＢ側に嵌合凸部６を設け、補助金具Ｃ側に嵌合凸部と嵌合する嵌合部である切欠１５を設けるとともに本体モジュールＢと補助金具Ｃとを仮結合する構成を採用したが、本実施形態においては、図１２に示すように、嵌合凸部として補助金具Ｃに中央水平フレーム１０の一部及び外周フレーム９の下部の都部を折り曲げて形成した先端が下方を向く鉤状の嵌合片３２を設け、嵌合片３２に嵌合する嵌合部として本体モジュールＢの各取付板４のそれぞれに左右方向に各１個の孔３１を設け、嵌合片３２を孔３１に挿入し、更に嵌合片３２の先端の鉤の部分が孔３１の下側の壁に引っ掛ることにより、本体モジュールＢと補助金具Ｃとを仮結合している。
【００５７】
その他の構成及び機能は、実施形態１と同様である。
【００５８】
なお、上述の各実施形態では、インターホン親機Ａを施工面に取り付けるために、スイッチボックスＳＢを用いる例を示したが、この構成に限るものではなく、スイッチボックスＳＢ以外の施工用部材（例えば埋込型の配線器具用の取り付け時に用いられる挟み金具）を用いてインターホン親機Ａを施工面に取り付ける構成にしてもよく、また、図１４及び図１５に示すように、本体モジュールＢまたは補助金具Ｃを直接壁に固定する構成にしてもよい。
【００５９】
また、本体モジュール側接触端子７と機能パネル側接触端子２３との接続により行われる電気的接続は、本体モジュールＢから機能パネルＤに電力を供給するための電気的接続と機能パネルＤと本体モジュールＢ間の情報の授受を行う電気的接続の両方である例を示したが、この構成に限るものではなく、少なくともその一方であればよい。
【００６０】
また、本発明の情報装置の一例として、インターホン親機Ａを例示したが、これに制限されることはなく、太陽光発電装置の電力モニタ、ホームオートメーションを管理するビュワーといった情報装置などでもよい。
【図面の簡単な説明】
【００６１】
【図１】本発明の実施形態１の分解斜視図である。
【図２】本発明の実施形態１の取り付けを示す分解斜視図である。
【図３】本発明の実施形態１の補助金具の側面図である。
【図４】本発明の実施形態１の補助金具の本体モジュールへの取り付けを示す側面図である。
【図５】本発明の実施形態１の補助金具上部の拡大斜視図である。
【図６】本発明の実施形態１の機能パネルを補助金具に取り付ける分解斜視図である。
【図７】本発明の実施形態１の補助金具下部の拡大斜視図である。
【図８】本発明の実施形態１の機能パネルの斜視図である。
【図９】本発明の実施形態１の機能パネルを補助金具に取り付ける側面図である。
【図１０】本発明の実施形態２の機能パネル下部の垂直断面図である。
【図１１】本発明の実施形態２の機能パネルを補助金具に取り付ける垂直断面図である。
【図１２】本発明の実施形態３の補助金具を本体モジュールに取り付ける分解斜視図である。
【図１３】本発明の実施形態１の機能パネルの斜視図である。
【図１４】本発明の実施形態１の機能パネルと本体モジュールの分解斜視図である。
【図１５】本発明の実施形態１の機能パネルと本体モジュールの分解斜視図である。
【符号の説明】
【００６２】
１  器具固定用突起
２  ねじ孔
３  器体
４  取付板
５  固定用孔
６  嵌合凸部
７  本体モジュール側接触端子
８  本体モジュール側接触端子孔
９  外周フレーム
１０  中央水平フレーム
１１  中央垂直フレーム
１２  大開口
１３  小開口
１４  段差
１５  切欠
１６  結合用孔
１７  傾斜面
１８  曲折片
１９  鉤片
２０  係止突起
２１  係止突起先端部
２２  パネルベース
２３  パネルカバー
２４  機能パネル側接触端子
２５  機能パネル側接触端子孔
２６  長凹部
２７  開口
２８  小孔
２９  表示部
３０  小面取
３１  孔
３２  嵌合片
３３  面取り
３４  引掛孔
３５  係止孔
３６  ガイド溝
３７  パネルベース側垂直壁面
３８  パネルカバー側垂直壁面
３９  ガイド溝奥垂直壁面
４０  ガイド溝下面
４１  摺動レバー
４２  スプリング受け用凸部
４３  摺動レバー先端突起
４４  スプリング
４５  摺動レバー用開口
４６  本体モジュール側接触端子
４７  係止壁面
４８  凹状間隙
Ａ  インターホン親機
Ｂ  本体モジュール
Ｃ  補助金具
Ｄ  機能パネル
Ｗ  壁
ＳＷ  電源スイッチ
ＳＢ  スイッチボックス
【図１】
0004966148.tif 000002
【図２】
0004966148.tif 000003
【図３】
0004966148.tif 000004
【図４】
0004966148.tif 000005
【図５】
0004966148.tif 000006
【図６】
0004966148.tif 000007
【図７】
0004966148.tif 000008
【図８】
0004966148.tif 000009
【図９】
0004966148.tif 000010
【図１０】
0004966148.tif 000011
【図１１】
0004966148.tif 000012
【図１２】
0004966148.tif 000013
【図１３】
0004966148.tif 000014
【図１４】
0004966148.tif 000015
【図１５】
0004966148.tif 000016